(57)【要約】【課題】外観を低下させることなく、サイズの大きな識別マークを付して視認性を向上させる。【解決手段】ゴルフボール１０の天地方向の中央部に識別ネーム１２を配置する一方、識別ネーム１２から所定距離離間した部位に識別マーク１６を配置することにより、識別ネーム１２による制約を受けることなく、識別マーク１６を所望のサイズに形成し、視認性を向上させることができる。【選択図】図４
0003123046.tif 000002
【実用新案登録請求の範囲】
【請求項１】
表面の所定部位に配置された識別ネームと、
前記識別ネームから所定距離離間した部位に配置され、同時に使用される際の自他識別機能を有する識別マークと、
を備えることを特徴とするゴルフボール。
【請求項２】
請求項１記載のゴルフボールにおいて、
前記識別マークを平面に投影したときの最大幅が、当該ゴルフボールの直径の４０％以上に設定されることを特徴とするゴルフボール。
【請求項３】
請求項１記載のゴルフボールにおいて、
前記識別マークを平面に投影したときの最小幅が、当該ゴルフボールの直径の２５％以下に設定されることを特徴とするゴルフボール。
【請求項４】
請求項１記載のゴルフボールにおいて、
前記識別マークは、ローマ数字であることを特徴とするゴルフボール。
【請求項５】
請求項１記載のゴルフボールにおいて、
前記識別マークは、アラビア数字であることを特徴とするゴルフボール。
【請求項６】
請求項１記載のゴルフボールにおいて、
前記識別マークは、前記識別ネームの背面に配置されることを特徴とするゴルフボール。
【請求項７】
請求項１記載のゴルフボールにおいて、
前記識別マークは、前記識別ネームの両側部に配置されることを特徴とするゴルフボール。
【考案の詳細な説明】
【技術分野】
【０００１】
本考案は、識別ネーム及び識別マークが付されたゴルフボールに関する。
【背景技術】
【０００２】
ゴルフボールの表面には、一般に、商標、ブランド名等の識別ネームと、アラビア数字やローマ数字からなる識別マークとが付されている。
【０００３】
識別マークは、パーティを組んだ複数のプレーヤが同じ識別ネームのゴルフボールを使用する際、各プレーヤが自分のゴルフボールを容易に識別するためのものであり、例えば、１、２、…等の異なる数字が識別ネームの上又は下に配置されている。
【０００４】
この場合、識別ネームは、通常、視認され易い大きなサイズとなっており、識別マークは、識別ネームに比較して小さいため、識別マークを容易に識別できない場合がある。そこで、識別マークのサイズを大きくすることを提案したものがある（特許文献１）。
【０００５】
【特許文献１】特開２００３−７６７号公報
【考案の開示】
【考案が解決しようとする課題】
【０００６】
ところで、従来のゴルフボールでは、識別ネームと識別マークとが上下に並んだ状態で配置されているため、識別ネームをゴルフボールの天地のいずれか一方に寄せた状態で配置しないと、識別マークのサイズを十分に大きくすることができない。しかしながら、識別ネームを天地側に寄せて配置すると、見た目のバランスが悪くなり、ゴルフボールとしての外観が低下する不具合が発生する。
【０００７】
本考案は、前記の不具合を解消するためになされたものであり、外観を低下させることなく、サイズの大きな識別マークを付して視認性を向上させることのできるゴルフボールを提供することを目的とする。
【課題を解決するための手段】
【０００８】
前記の課題を解決するために、本考案は、表面の所定部位に配置された識別ネームと、
前記識別ネームから所定距離離間した部位に配置され、同時に使用される際の自他識別機能を有する識別マークと、
を備えることを特徴とする。
【考案の効果】
【０００９】
本考案のゴルフボールでは、識別マークを識別ネームから所定距離離間した部位に配置したため、識別ネームをゴルフボールの所望の位置に配置して良好な外観を確保できるとともに、識別ネームの影響を受けることなく、識別マークを大きくして視認性を向上させることができる。
【考案を実施するための最良の形態】
【００１０】
図１は、図面の上下を天地として示した本実施形態のゴルフボール１０の正面図であり、図２は、図面の上下を天地として示した本実施形態のゴルフボール１０の背面図である。なお、図面では、表面に形成されているディンプルを省略して示している。そして、ゴルフボール１０の天地とは、表面に形成されているディンプルの配置が上下対称となるようにゴルフボール１０を見たときの上下をいうものとする。
【００１１】
図１に示すように、ゴルフボール１０の天地方向の中央部には、例えば、「ａｂｃｄ」として、ゴルフボール１０の商標、ブランド名等の識別ネーム１２が配置される。また、識別ネーム１２が配置された面を正面として、その背面には、図２に示すように、ゴルフボール１０の天地方向の中央部に、例えば、「ＩＩ」として、同一パーティの自他のゴルフボール１０を識別するためのローマ数字からなる識別マーク１４が配置される。なお、識別ネーム１２の上下いずれかの位置に、従来と同様、背面に配置した識別マーク１４と同じ内容を示す識別マークをさらに付加してもよい。
【００１２】
図３は、図２に示す識別マーク１４に代えて、例えば、「２」として、アラビア数字からなる識別マーク１６を識別ネーム１２の背面に配置したものである。
【００１３】
図４は、図３に示す識別マーク１６を識別ネーム１２の背面ではなく、識別ネーム１２の両側部に所定距離離間させて配置したものである。なお、２つの識別マーク１６の中心位置と、識別ネーム１２の中心位置とは、ゴルフボール１０の中心に対して９０°の偏角となる位置とすることができる。
【００１４】
図５は、図３に示す識別マーク１６をゴルフボール１０の天の部分に配置した他の実施形態を示す。
【００１５】
なお、識別マークとしては、Ｘ０、Ｘ１、…等のように、ローマ数字とアラビア数字を組み合わせたもの、００、０１、…のように、複数のアラビア数字を組み合わせたもの、その他、アルファベット、漢字、図形等を用いてもよい。
【００１６】
この場合、識別ネーム１２と識別マーク１４、１６とが、相互に干渉することのない離間した部位に配置されているため、識別ネーム１２を天地方向の所望の位置に配置して、良好な外観を確保することができる。また、識別ネーム１２による制約を受けることなく、識別マーク１４、１６のサイズを大きくして、識別マーク１４、１６の視認性を向上させることができる。
【００１７】
識別ネーム１２の中心位置と、識別マーク１４、１６の中心位置との間の距離は、ゴルフボール１０の円周長さの２０％以上に設定することが望ましい。また、識別マーク１４、１６のサイズは、識別マーク１４、１６を中心としてゴルフボール１０を正面から見た状態において、最大幅がゴルフボール１０の直径の４０％以上、７０％以下、好ましくは、外観を低下させることのないよう６０％以下に設定することが望ましい。また、識別マーク１４、１６の最小幅は、ゴルフボール１０の直径の２５％以下に設定することが望ましい。最大幅と同じ程度であると、外観が低下するためである。なお、最小幅は、小さすぎると、識別マーク１４、１６のバランスが悪くなるとともに、視認性が低下することから、通常、３ｍｍ以上とすることが望ましい。
【００１８】
なお、識別ネーム１２及び識別マーク１４、１６に加えて、例えば、ゴルフボール１０の天地の部分に他の任意のマークを配置することもできる。
【図面の簡単な説明】
【００１９】
【図１】本実施形態の識別ネームが付されたゴルフボールの正面図である。
【図２】本実施形態のローマ数字からなる識別マークが付されたゴルフボールの背面図である。
【図３】他の実施形態のアラビア数字からなる識別マークが付されたゴルフボールの背面図である。
【図４】他の実施形態のアラビア数字からなる識別マークが識別ネームの両側に付されたゴルフボールの正面図である。
【図５】さらに他の実施形態のアラビア数字からなる識別マークが識別ネームの上である天の部分に付されたゴルフボールの正面図である。
【符号の説明】
【００２０】
１０…ゴルフボール  １２…識別ネーム
１４、１６…識別マーク
【図１】
0003123046.tif 000003
【図２】
0003123046.tif 000004
【図３】
0003123046.tif 000005
【図４】
0003123046.tif 000006
【図５】
0003123046.tif 000007
【手続補正書】
【提出日】平成18年4月27日(2006.4.27)
【手続補正１】
【補正対象書類名】実用新案登録請求の範囲
【補正対象項目名】全文
【補正方法】変更
【補正の内容】
【実用新案登録請求の範囲】
【請求項１】
表面の所定部位に配置された識別ネームと、
前記識別ネームから所定距離離間した部位に配置され、同時に使用される際の自他識別機能を有する識別マークと、
を備え、前記識別マークは、平面に投影したときの最大幅が、当該ゴルフボールの直径の４０％以上に設定されることを特徴とするゴルフボール。
【請求項２】
表面の所定部位に配置された識別ネームと、
前記識別ネームから所定距離離間した部位に配置され、同時に使用される際の自他識別機能を有する識別マークと、
を備え、前記識別マークは、平面に投影したときの最小幅が、当該ゴルフボールの直径の２５％以下に設定されることを特徴とするゴルフボール。
【請求項３】
表面の所定部位に配置された識別ネームと、
前記識別ネームから所定距離離間した部位に配置され、同時に使用される際の自他識別機能を有する識別マークと、
を備え、前記識別マークは、前記識別ネームの背面に配置されることを特徴とするゴルフボール。
【請求項４】
表面の所定部位に配置された識別ネームと、
前記識別ネームから所定距離離間した部位に配置され、同時に使用される際の自他識別機能を有する識別マークと、
を備え、前記識別マークは、前記識別ネームの両側部に配置されることを特徴とするゴルフボール。
【手続補正２】
【補正対象書類名】明細書
【補正対象項目名】０００８
【補正方法】変更
【補正の内容】
【０００８】
前記の課題を解決するために、本考案は、表面の所定部位に配置された識別ネームと、
前記識別ネームから所定距離離間した部位に配置され、同時に使用される際の自他識別機能を有する識別マークと、
を備え、前記識別マークは、平面に投影したときの最大幅が、当該ゴルフボールの直径の４０％以上に設定されることを特徴とする。
また、本考案は、表面の所定部位に配置された識別ネームと、
前記識別ネームから所定距離離間した部位に配置され、同時に使用される際の自他識別機能を有する識別マークと、
を備え、前記識別マークは、平面に投影したときの最小幅が、当該ゴルフボールの直径の２５％以下に設定されることを特徴とする。
また、本考案は、表面の所定部位に配置された識別ネームと、
前記識別ネームから所定距離離間した部位に配置され、同時に使用される際の自他識別機能を有する識別マークと、
を備え、前記識別マークは、前記識別ネームの背面に配置されることを特徴とする。
また、本考案は、表面の所定部位に配置された識別ネームと、
前記識別ネームから所定距離離間した部位に配置され、同時に使用される際の自他識別機能を有する識別マークと、
を備え、前記識別マークは、前記識別ネームの両側部に配置されることを特徴とする。